【手続補正書】
【提出日】平成22年12月17日(2010.12.17)
【手続補正１】
【補正対象書類名】特許請求の範囲
【補正対象項目名】全文
【補正方法】変更
【補正の内容】
【特許請求の範囲】
【請求項１】
着用者の肌に近い側に位置し且つ通気性を有する第１の面と、着用者の肌から遠い側に位置する第２の面と、第１の面及び第２の面の間に介在配置された発熱部とを有する発熱体が、通気性を有する伸縮性袋体内に収容されてなり、
前記発熱体が、前記伸縮性袋体の伸縮性が損なわれないような態様で該伸縮性袋体の内面に固定されている発熱具。
【請求項２】
前記発熱体はその一部のみが前記伸縮性袋体の内面の一部に固定されている請求項１記載の発熱具。
【請求項３】
前記袋体は、前記発熱体の第２の面に対向する内面において前記発熱体と固定されている請求項１又は２記載の発熱具。
【請求項４】
発熱具を平面視したときに、前記伸縮性袋体と前記発熱体とが重なった部位において該伸縮性袋体と該発熱体とが固定部において固定されているとともに、該伸縮性袋体と該発熱体とが重なった部位のうち該固定部以外の部位において、該伸縮性袋体が伸縮可能になっている請求項１ないし３の何れかに記載の発熱具。
【請求項５】
袋体が伸縮性シートを含んで構成され、該伸縮性シートは、最も伸縮する方向における５０％伸長時の荷重が５Ｎ／２.５ｃｍ以下である請求項１ないし４の何れかに記載の発熱具。
【請求項６】
前記伸縮性袋体における少なくとも周縁部の表面に、発熱具を着用者の身体又は衣類に固定するための固定手段が設けられている請求項１ないし５の何れかに記載の発熱具。
【請求項７】
前記伸縮性袋体が横長の形状であって、長手方向の各端部のそれぞれに耳掛け部が取り付けられている請求項１ないし５の何れかに記載の発熱具。
【請求項８】
前記伸縮性袋体内に２以上の発熱体が配置されてなり、離間する発熱体の間において該伸縮性袋体が切れ込みを有する請求項１ないし７の何れかに記載の発熱具。
【手続補正２】
【補正対象書類名】明細書
【補正対象項目名】００１７
【補正方法】変更
【補正の内容】
【００１７】
発熱体２０は、その第１の面２３の側が着用者の肌側に向き、第２の面２４の側が衣類側に向くように使用される。発熱部２１の発熱によって発生した水蒸気は、第１の面２３及び袋体１０を通じ、対象物である着用者の肌に付与されるようになっている。
【手続補正３】
【補正対象書類名】明細書
【補正対象項目名】００２０
【補正方法】変更
【補正の内容】
【００２０】
本実施形態においては、袋体１０は、発熱体２０の第２の面に対向する伸縮性シート１２の内面において発熱体２０と固定されていることが好ましい。符号３は袋体１０と発熱体２０とを固定する固定部を表す。つまり、固定部３は、袋体１０における伸縮性シート１２と発熱体２０との間に設けられていることが好ましい。これによって、着用者の動きに対する追従性を良好とし、また発熱体２０から発生した熱や水蒸気を着用者の身体に首尾よく適用させることが可能となる。固定部３の面積は、袋体１０の伸縮性の程度に影響を及ぼす。即ち固定部３の面積が大きすぎると、袋体１０の伸びしろを大きくとることができない。逆に固定部３の面積が小さすぎると、発熱体２０を確実に袋体に固定できないことがある。これらの観点から、固定部３の面積は、袋体１０の平面視での面積に対して３０％以下、特に２０％以下、とりわけ１５％以下であることが好ましい。また固定部３の面積は、発熱体２０の平面視での面積に対して１％以上、特に５％以上であることが好ましい。特に、後述するように、固定部３が発熱体２０に重なる場合、固定部３の面積が前記の範囲内であると、袋体１０の通気性を低下させず、また発熱体２０の発熱を阻害することがないので好ましい。
【手続補正４】
【補正対象書類名】明細書
【補正対象項目名】００３１
【補正方法】変更
【補正の内容】
【００３１】
また、伸縮性シート１１，１２が不織布である場合、肌に対する感触を良好にするためには、該伸縮性シート１１，１２の坪量や厚み、構成繊維の太さを適切に選択すればよい、この観点から、伸縮性シート１１，１２は、その坪量が１０〜２００ｇ／ｍ2、特に２０〜１３０ｇ／ｍ2の不織布からなることが好ましい。また、保温及び結露防止の観点から、伸縮性シート１２は、坪量３０ｇ／ｍ2以上であることが好ましく、使用時の温感の観点から伸縮性シート１１は、坪量１３０ｇ／ｍ2以下であることが好ましい。保温・使用時の温感・使用感から、坪量は、肌に遠い側の伸縮性シート１２が肌に近い側の伸縮性シート１１と同じか又はそれよりも大きい方が好ましい。
【手続補正５】
【補正対象書類名】明細書
【補正対象項目名】００３３
【補正方法】変更
【補正の内容】
【００３３】
収容体２２は、通気面である第１の面２３と、それに対向する非通気面である第２の面２４とを有する扁平な形態をしており、通気面である第１の面２３を通じて蒸気温熱が発生するようになされている。或いは、収容体２２は、通気面である第１の面２３と、それに対向する難通気面である第２の面２４とを有する扁平な形態をしており、通気面である第１の面２３を通じて蒸気温熱が発生するようになされている。第２の面２４が難通気性である場合、第１の面２３と第２の面２４の通気度をバランスさせることで、空気は第２の面２４を通じて優先的に収容体２２内に流入すると共に、水蒸気は第１の面２３を通じて優先的に放出される。
【手続補正６】
【補正対象書類名】明細書
【補正対象項目名】００３８
【補正方法】変更
【補正の内容】
【００３８】
発熱部２１が発熱シートからなる場合、該発熱シートは６０〜９０重量％の被酸化性金属、５〜２５重量％の反応促進剤及び５〜３５重量％の繊維状物を含む成形シートに、該成形シート１００重量部に対して、１〜１５重量％の電解質を含む電解質水溶液が３０〜８０重量部含有されて構成されていることが好ましい。一方、発熱部２１が発熱粉体からなる場合、該発熱粉体は、２０〜５０重量％更に好ましくは２５〜４０重量％の被酸化性金属、３〜２５重量％、更に好ましくは５〜２０重量％の反応促進剤及び３〜２５重量％、更に好ましくは５〜２０重量％の保水剤を含む固形分１００重量部に対して、０．３〜１０重量％、更に好ましくは０．５〜５重量％の電解質を含む電解質水溶液が２０〜７０重量部、更に好ましくは３０〜６０重量部含有されて構成されていることが好ましい。発熱シートや発熱粉体を構成する各種材料としては、通常用いられているものと同様のものを用いることができる。また、先に述べた特開２００３−１０２７６１号公報に記載の材料を用いることもできる。
【手続補正７】
【補正対象書類名】明細書
【補正対象項目名】００４５
【補正方法】変更
【補正の内容】
【００４５】
図７に示す第４の実施形態の蒸気温熱具１は、固定部の数は第２の実施形態と同じであるが、固定部の位置及びその形状が、第２の実施形態と相違している。詳細には、各固定部３ａ，３ｂは、長手方向及び短手方向を有する異方性のある形状をしている。各固定部３ａ，３ｂの長手方向は、袋体１０の主たる伸長方向（すなわち同図中、横方向）と交差（好ましくは直交）するように延びている。また、各発熱体２０ａ，２０ｂにおいて、各固定部３ａ，３ｂは、袋体１０の主たる伸長方向（すなわち同図中、横方向）と直交する方向に延びる中心線である縦中心線Ｌからみて、最も近い位置に設けられている。固定部３ａ，３ｂのこの配置状態は、先に述べた図６に示す第３の実施形態における固定部３ａ，３ｂが、縦中心線Ｌからみて最も遠い位置に設けられているのと対照的である。このように、複数の発熱体を袋体内に収容する場合には、蒸気温熱具１を身体に貼付したときに蒸気温熱具１が身体に効果的に追従するようにすることを目的として、固定部を隣り合う発熱体の遠い側に設ける(例えば、第３の実施形態)か、又は近い側に設けるか(例えば、第４の実施形態)かを、適宜選択できる。
【手続補正８】
【補正対象書類名】明細書
【補正対象項目名】００４７
【補正方法】変更
【補正の内容】
【００４７】
図９（ａ）及び（ｂ）に示す実施形態は、図８と同様に、袋体１０がその長手方向と短手方向で同程度の伸縮性を有する場合である。図９（ａ）は、上述した図８（ｃ）と固定部３の配置の位置は同じであるが、形状が異なる。図９（ａ）における固定部３の形状は十文字形である。固定部３を発熱体２０の略中心の位置に配置する場合、固定部３の形状に特に制限はないが、同じ面積で比較すると十文字形を採用することが、位置ずれ防止の観点から最も有効である。図９（ｂ）は、発熱体２０を一つ用いた場合の形態を示している。同図においては、発熱体２０略中心の位置に矩形の固定部３が配置されている。
【手続補正９】
【補正対象書類名】明細書
【補正対象項目名】００５０
【補正方法】変更
【補正の内容】
【００５０】
図１２（ａ）及び（ｂ）も、図１０と同様に、長手方向の伸縮性の方が短手方向の伸縮性よりも高い場合の実施形態である。図１２（ａ）及び（ｂ）は、発熱体２０を一つ用いた場合の形態を示している。図１２（ａ）においては、固定部は符号３０で示される領域内に複数個設けられているか、又は連続して設けられている。領域３０は、発熱体２０の長手方向の略中央部を通り、発熱体２０の短手方向に延びている。図１２（ｂ）においては、発熱体２０の短手方向に延びる複数の細長い固定部３が所定間隔をおいて、発熱体２０を横切るように配置されている。
【手続補正１０】
【補正対象書類名】明細書
【補正対象項目名】００５４
【補正方法】変更
【補正の内容】
【００５４】
袋体１１０は、着用者の肌に近い側に位置する第１の伸縮性シート１１１と、着用者の肌から遠い側に位置する第２の伸縮性シート１１２を有している。２枚の伸縮性シート１１１，１１２は同形であり、略長円形をしている。そして、伸縮性シート１１１，１１２の外形が本体部１０１の外形をなしている。２枚の伸縮性シート１１１，１１２はそれらを重ね合わせ、それらの周縁部を接合し、かつＸ方向の中央部をＹ方向に沿って接合することで、内部に２つの空間を有する袋体１１０となされる。伸縮性シート１１１，１１２を接合するためには、例えばホットメルト粘着剤を用いることができる。図１４には、第２の伸縮性シート１１２の内面（第１の伸縮性シート１１１との対向面）においてホットメルト粘着剤が塗布された領域が、細かいドットで示されている。ホットメルト粘着剤で伸縮性シート１１１，１１２を接合することによって、他の接合手段、例えば熱融着等を用いた場合に比べて、伸縮性シート１１１，１１２が本来的に有する良好な風合いが損なわれにくくなり、蒸気温熱具１００の装着感が良好になる。
【手続補正１１】
【補正対象書類名】明細書
【補正対象項目名】００６１
【補正方法】変更
【補正の内容】
【００６１】
図１５及び図１６には、袋体１１０と発熱体１２０との固定の状態が示されている。発熱体１２０は、袋体１１０における第２の伸縮性シートの１１２の内面と、固定部１０３ａ，１０３ｂの位置において固定されている。各固定部１０３ａ，１０３ｂは、長手方向及び短手方向を有する異方性のある形状をしている。各固定部１０３ａ，１０３ｂの長手方向は、袋体１１０の主たる伸長方向（すなわち同図中、Ｘ方向）と交差（好ましくは直交）するように延びている。また、各発熱体１２０において、各固定部１０３ａ，１０３ｂは、袋体１１０の主たる伸長方向（すなわち同図中、Ｘ方向）と直交する方向（すなわち同図中、Ｙ方向）に延びる中心線である縦中心線Ｌからみて、最も近い位置に設けられている。この位置に固定部１０３ａ，１０３ｂが設けられていることによって、蒸気温熱具１００をＸ方向に伸長させて装着した場合に、左右の目の上に発熱体１２０が首尾よく位置するようになる。発熱体１２０に形成する固定部１０３ａ，１０３ｂの位置を、縦中心線Ｌからみて、最も遠い位置（耳掛け部１０２に近い位置）にすることも可能であるが、その場合には、蒸気温熱具１００をＸ方向に伸長させて装着したときに、着用者の顔のサイズによっては、発熱体１２０の位置が左右の目よりも外方になることがある。
【手続補正１２】
【補正対象書類名】明細書
【補正対象項目名】００６２
【補正方法】変更
【補正の内容】
【００６２】
特に、発熱体１２０に形成する固定部１０３ａ，１０３ｂの位置を、図１６に示すように、発熱体１２０を平面視したときに、固定部１０３ａ，１０３ｂが発熱部１２１と重ならない位置とすることで、袋体１１０の伸縮性を一層損なうことなく、蒸気温熱具１００の装着状態において左右の目の上に発熱体１２０が首尾よく位置するようになる。